【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、第１キャラクタと第２キャラクタとを遊技者が視認可能となる所定位置に示すものであり、
前記報知演出として、少なくとも、前記第１キャラクタ及び前記第２キャラクタの位置関係が第１位置関係とされる第１報知演出と、前記第１キャラクタ及び前記第２キャラクタの位置関係が第２位置関係とされる第２報知演出と、を有し、
前記第１報知演出と前記第２報知演出とは、前記特別遊技の実行可能性として異なる可能性を報知することを特徴とする遊技機。
【請求項２】
前記第１キャラクタとして、表示態様の異なる複数のキャラクタを有し、
当該複数のキャラクタのうち何れのキャラクタが前記第１キャラクタとして表示されるかによって、前記特別遊技の実行可能性として異なる可能性を報知することを特徴とする請求項１に記載の遊技機。
【請求項３】
前記第２キャラクタとして、表示態様の異なる複数のキャラクタを有し、
当該複数のキャラクタのうち何れのキャラクタが前記第２キャラクタとしてひょうじされるかによって、前記特別遊技の実行可能性として異なる可能性を報知することを特徴とする請求項１又は請求項２に記載の遊技機。
【請求項４】
前記識別情報の変動表示に伴って実行可能な遊技演出として、前記識別情報が前記特定態様で停止表示するかどうかを、所定の目的を達成するかどうかの演出で示す特定遊技演出を有し、
前記第１報知演出及び前記第２報知演出は、前記特定遊技演出の開始前又は実行途中に、実行可能であることを特徴とする請求項１乃至請求項３の何れか一項に記載の遊技機。
【手続補正２】
【補正対象書類名】明細書
【補正対象項目名】０００６
【補正方法】変更
【補正の内容】
【０００６】
（１）上述の課題を解決するための第１発明の遊技機は、
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、第１キャラクタと第２キャラクタとを遊技者が視認可能となる所定位置に示すものであり、
前記報知演出として、少なくとも、前記第１キャラクタ及び前記第２キャラクタの位置関係が第１位置関係とされる第１報知演出と、前記第１キャラクタ及び前記第２キャラクタの位置関係が第２位置関係とされる第２報知演出と、を有し、
前記第１報知演出と前記第２報知演出とは、前記特別遊技の実行可能性として異なる可能性を報知することを特徴とするものである。
このような遊技機によれば、識別情報の変動表示に伴って実行する遊技演出として、識別情報が停止表示する前に（識別情報の変動表示の結果が導出される前に）、特別遊技の実行可能性を事前報知する報知演出を有する。そして、この報知演出として、第１キャラクタと第２キャラクタとを第１位置関係で示す第１報知演出と、当該第１キャラクタと当該第２キャラクタとを第２位置関係で示す第２報知演出と、を有し、第１報知演出と第２報知演出とで、特別遊技の実行可能性として異なる可能性を報知するものとしている。これにより、遊技者は報知演出において、どの位置関係で第１キャラクタ及び第２キャラクタが示されるかに注目し、報知演出に対する注目度を高めることが可能となる。またこれにより、遊技興趣を高めることが可能となる。ここで、第１位置関係として、例えば第１キャラクタを表示領域の左側、第２キャラクタを表示領域の右側に示す態様を挙げることができる。また、第２位置関係として、例えば第１キャラクタを表示領域の右側、第２キャラクタを表示領域の左側に示す態様を挙げることができる。
【手続補正３】
【補正対象書類名】明細書
【補正対象項目名】０００７
【補正方法】変更
【補正の内容】
【０００７】
（２）また、第２発明の遊技機は、第１発明の遊技機において、
前記第１キャラクタとして表示態様の異なる複数のキャラクタを有し、当該複数のキャラクタのうち何れのキャラクタが、前記第１キャラクタとして表示されるかによって、前記特別遊技の実行可能性として異なる可能性を報知することを特徴とするものである。
このような遊技機によれば、第１キャラクタとして表示態様の異なる複数のキャラクタを有しており、当該複数のキャラクタのうち何れのキャラクタが第１キャラクタとして表示されるかによって、特別遊技の実行可能性として異なる可能性を報知するものとする。これにより、報知演出として、どの位置関係で第１キャラクタ及び第２キャラクタが示されるかに加えて、第１キャラクタとしてどのキャラクタが表示されるかに注目し、報知演出に対する注目度を高めることが可能となる。またこれにより、遊技興趣を高めることが可能となる。
（３）また、第３発明の遊技機は、第１発明又は第２発明の遊技機において、
前記第２キャラクタとして表示態様の異なる複数のキャラクタを有し、当該複数のキャラクタのうち何れのキャラクタが、前記第２キャラクタとして表示されるかによって、前記特別遊技の実行可能性として異なる可能性を報知することを特徴とするものである。
このような遊技機によれば、第２キャラクタとして表示態様の異なる複数のキャラクタを有しており、当該複数のキャラクタのうち何れのキャラクタが第２キャラクタとして表示されるかによって、特別遊技の実行可能性として異なる可能性を報知するものとする。これにより、報知演出として、どの位置関係で第１キャラクタ及び第２キャラクタが示されるかに加えて、第２キャラクタとしてどのキャラクタが表示されるかに注目し、報知演出に対する注目度を高めることが可能となる。またこれにより、遊技興趣を高めることが可能となる。
（４）また、第４発明の遊技機は、第１発明乃至第３発明の遊技機において、
前記識別情報の変動表示に伴って実行可能な遊技演出として、前記識別情報が特定態様で停止表示するかどうかを、所定の目的を達成するかどうかの演出で示す特定遊技演出を有し、
前記第１報知演出及び前記第２報知演出は、前記特定遊技演出の開始前又は実行途中に、実行可能であることを特徴とするものである。
このような遊技機によれば、識別情報の変動表示に伴って実行する遊技演出として、当該識別情報が特定態様で停止表示するかどうかを、所定の目的を達成するかどうかの演出で示す特定遊技演出を有する。そして、この特定遊技演出の開始前又は実行途中に、前記第１報知演出及び前記第２報知演出を実行可能としている。これにより、特定遊技演出の開始前、又は実行途中において、報知演出のどの位置にキャラクタが示されるか、すなわち、第１報知演出及び第２報知演出の何れが実行されるかに注目し、報知演出に対する注目度を高めることが可能となる。またこれにより、第１報知演出及び第２報知演出の何れが実行されるかによって、その後に実行される特定遊技演出の期待感が異なり、遊技興趣を高めることが可能となる。ここで、特定遊技演出として、後述するリーチ演出やキャラクタ遊技演出を例示することが可能である。